(57)【要約】【課題】  浴室ユニットの配線作業の負担を軽減するとともに結線ミスを防止し、メンテナンス作業を容易に行うことができ、且つ安全性を向上させることができる電源ボックスを有する浴室ユニットを提供する。【解決手段】  浴室ユニット１の天井に形成された点検口１１の近傍に位置して天井裏に設置された電源ボックス２から浴室ユニット用の各電気機器まで配線１２がそれぞれ接続されている。電源ボックスには、配線のリード線をワンタッチで電気的に接続可能な複数の端子部を設け、この各端子部にそれぞれ電気的に接続される各電気機器の少なくとも名称を、各端子部に対応して電源ボックスに表示している。【選択図】    図１
2005328627.tif 000002
【特許請求の範囲】
【請求項１】
浴室ユニットの天井に形成された点検口の近傍に位置して天井裏に設置された電源ボックスから前記浴室ユニット用の各電気機器まで配線がそれぞれ接続された浴室ユニットであって、
前記電源ボックスには、前記配線のリード線をワンタッチで電気的に接続可能な複数の端子部を設け、
この各端子部にそれぞれ電気的に接続される各電気機器の少なくとも名称を、この各端子部に対応して前記電源ボックスに表示したことを特徴とする電源ボックスを有する浴室ユニット。
【請求項２】
請求項１に記載の電源ボックスを有する浴室ユニットであって、前記各端子部の接続電圧をこの各端子部に対応して前記電源ボックスに表示したことを特徴とする電源ボックスを有する浴室ユニット。
【請求項３】
請求項１または２に記載の電源ボックスを有する浴室ユニットであって、前記電源ボックスには漏電遮断器を設置したことを特徴とする電源ボックスを有する浴室ユニット。
【発明の詳細な説明】
【技術分野】
【０００１】
本発明は、浴室ユニット用の各電気機器まで配線をそれぞれ接続するための電源ボックスを有する浴室ユニットに関する。
【背景技術】
【０００２】
浴室ユニットには、たとえば換気扇，暖房機器，照明など各種の電気機器が設けられている。また、浴室ユニットの高機能化に伴って、テレビ，ジェットバス，浴室乾燥機などの電気機器を付加する場合も多くなってきた。
浴室ユニットのこれら各種電気機器と、浴室ユニットを設置したその住宅の電源ボックスとの間で個別に配線を行うと、配線作業に時間と手間が掛かって煩雑になってしまう。
【０００３】
そこで、各種電気機器と接続するための電源結線ボックスを浴室ユニット用に設けた技術が、特許文献１（特開平８−１７７２４６号公報）に提案されている。この技術では、電気機器用の電源結線ボックスを、点検口直上部の建物躯体または点検口の蓋の裏面に取付けた構成になっている。
【特許文献１】特開平８−１７７２４６号公報
【発明の開示】
【発明が解決しようとする課題】
【０００４】
しかしながら、特許文献１に記載された電源結線ボックスでは、この電源結線ボックスから各電気機器までそれぞれ配線を行う際に、電源結線ボックスのどの端子にどの電気機器の配線を結線するのかが一目では分からない。そのため、浴室ユニットの配線作業とメンテナンス作業は、結線ミスをしないように十分に注意を払いながら行う必要があるので、作業の負担になっていた。
また、電源結線ボックスの各端子の接続電圧に合わせて各電気機器の配線を間違わないように結線するためには、作業時に十分な注意を払う必要があった。
【０００５】
本発明は、このような課題を解決するためになされたもので、電源ボックスのどの端子部にどの電気機器の配線を接続すべきかが一目で分かるようにして、浴室ユニットの配線作業の負担を軽減するとともに結線ミスを防止し、メンテナンス作業を容易に行うことができ、且つ安全性を向上させることができる電源ボックスを有する浴室ユニットを提供することを目的とする。
【課題を解決するための手段】
【０００６】
上述の目的を達成するため、本発明にかかる電源ボックスを有する浴室ユニットは、浴室ユニットの天井に形成された点検口の近傍に位置して天井裏に設置された電源ボックスから前記浴室ユニット用の各電気機器まで配線がそれぞれ接続された浴室ユニットであって、前記電源ボックスには、前記配線のリード線をワンタッチで電気的に接続可能な複数の端子部を設け、この各端子部にそれぞれ電気的に接続される各電気機器の少なくとも名称を、この各端子部に対応して前記電源ボックスに表示している。
前記各端子部の接続電圧を、この各端子部に対応して前記電源ボックスに表示するのが好ましい。また、前記電源ボックスには漏電遮断器を設置するのが好ましい。
【発明の効果】
【０００７】
本発明の電源ボックスを有する浴室ユニットは、上述のように構成したので、電源ボックスのどの端子部にどの電気機器の配線を接続すべきかが一目で分かるので、浴室ユニットの配線作業の負担を軽減するとともに結線ミスを防止し、メンテナンス作業を容易に行うことができ、且つ安全性を向上させることができる。
【発明を実施するための最良の形態】
【０００８】
下記の実施例では、電源ボックスには、電気機器までの配線のリード線をワンタッチで電気的に接続可能な複数の端子部を設けている。そして、この各端子部にそれぞれ電気的に接続される各電気機器の少なくとも名称を、各端子部に対応して電源ボックスに表示している。
これにより、電源ボックスのどの端子部にどの電気機器の配線を接続すべきかが一目で分かることになり、浴室ユニットの配線作業の負担を軽減するととともに結線ミスを防止し、メンテナンス作業を容易に行うことができ、且つ安全性を向上させるという目的を実現している。
【実施例】
【０００９】
以下、本発明にかかる一実施例を図１ないし図４を参照して説明する。
図１ないし図４は本発明の一実施例を示す図で、図１は、電源ボックスを有する浴室ユニットの斜視図、図２，図３はそれぞれ電源ボックスの斜視図，部分正面図、図４は、電源ボックスにおける配線の接続状態を示す部分断面図である。
図１ないし図４に示すように、浴室ユニット（たとえば、システムバスルーム）１は、電源ボックス２を有している。浴室ユニット１は、ユニット化された構成を有しており、一戸建住宅，集合住宅，ホテルなど建物に設置される。
浴室ユニット１は、防水パン３の外周部に立設された壁パネル４と、壁パネル４の上部を覆って取付けられた天井パネル５とを有している。浴室ユニット１の内部には、浴槽６，洗い場７，カウンターなどが設けられている。浴槽６は、防水機能を有して浴室の底部に配置された防水パン３上に配置されている。
【００１０】
浴室ユニット１の天井パネル５には点検口１１が形成されており、電源ボックス２は、この点検口１１の近傍に位置して天井裏に設置されている。電源ボックス２から浴室ユニット１用の各電気機器まで、配線１２がそれぞれ接続されている。また、電源ボックス２には、１００Ｖの電流供給用の配線１２ａと、２００Ｖの電流供給用の配線１２ｂａも接続されている。
電源ボックス２には、配線１２，１２ａ，１２ｂのリード線１３をワンタッチで電気的に接続可能な複数の端子部１４，１４ａ，１４ｂ，１４ｃが設けられている。端子部１４，１４ａ〜１４ｃのうちの各端子部１４，１４ａにそれぞれ電気的に接続される各電気機器の少なくとも名称（正式名称のほか、略称も含む）１５が、各端子部１４，１４ａに対応して電源ボックス２に表示されている。
したがって、電源ボックス２のどの端子部１４，１４ａにどの電気機器の配線１２を接続すべきかが一目で分かるので、浴室ユニット１の配線作業の負担を軽減するとともに結線ミスを防止し、メンテナンス作業を容易に行うことができ、且つ安全性を向上させることができる。
【００１１】
各端子部１４，１４ａの接続電圧１６が、この各端子部１４，１４ａに対応して電源ボックス２に表示されている。したがって、接続電圧を間違って結線するミスを防止できるので、安全性をさらに向上させることができ、また、電気機器の故障などを防止することができる。
電源ボックス２には漏電遮断器１７が設置されている。浴室ユニット１は水分が多く湿度の高い環境にあるが、この漏電遮断器１７で、浴室ユニット１における漏電を防止して感電，火災などを防止することができ、安全性がさらに向上する。
【００１２】
浴室ユニット１についてさらに詳述すると、点検口１１は、天井パネル５の所定位置に形成されており、蓋２１により開閉可能になっている。電源ボックス２は、天井パネル５の上面に取付けられ且つ点検口１１の近傍に位置している。なお、電源ボックス２は、点検口１１の近傍で且つ天井裏に設置されていればよいので、建物の天井に固定された場合であってもよい。
電源ボックス２の複数の端子部１４，１４ａ〜１４ｃは点検口１１側を向いており、点検口１１の蓋２１は、電源ボックス２から離れる方向に開くようになっている。したがって、作業者は、点検口１１から手や顔などを天井裏に出して、電源ボックス２に対する配線作業やメンテナンス作業を行うことができる。
電源ボックス２は、複数の端子部１４，１４ａ〜１４ｃが設けられた端子台２２を有しており、この端子台２２は、点検口１１の方向を向いて配置されている。長手方向に延びて形成された端子台２２は、水平方向に配置され端子部１４，１４ａ〜１４ｃが配置された上板２３と、上板２３と一体化して垂直方向に配置された側板２４とを有している。
端子部１４，１４ａ〜１４ｃには、配線１２，１２ａ，１２ｂを通すための結線用孔２７が形成されている。側板２４には、アース用の配線１２，１２ａ，１２ｂを通すための複数の結線用孔２５が長手方向に並んで穿設されている。
【００１３】
端子部１４，１４ａ〜１４ｃには、結線用の端子１８が内蔵されている。端子台２２の内方には、アース用の配線１２，１２ａ，１２ｂを接続するための複数のアース用端子１９が配置されており、各アース用端子１９は、各結線用孔２５と同心位置に配置されている。
露出したリード線１３を有する配線１２，１２ａ，１２ｂを結線用孔２７に挿入することにより、リード線１３は、ワンタッチで端子１８に電気的に接続される。また、露出したリード線１３を有する配線１２，１２ａ，１２ｂを結線用孔２５に挿入することにより、リード線１３は、ワンタッチでアース用端子１９に電気的に接続される。
各電気機器との接続において、その２本の配線１２をその電気機器用の端子部１４（または、端子部１４ａ）に接続し、１本のアース用配線１２をその電気機器用のアース用端子１９に接続することになる。
浴室ユニット１に設置される各電気機器の名称１５が、端子部１４，１４ａ〜１４ｃの上部のケーシング表面２６に、各端子部１４，１４ａ〜１４ｃに対応して表示されている。これら電気機器が、たとえば、換気扇，暖房機器，照明，テレビ，ジェットバスであれば、これらの各名称１５を、「換気扇」，「暖房機器」，「照明」，「テレビ」，「ジェットバス」のように各端子部１４，１４ａに対応してケーシング表面２６に表示している。
【００１４】
また、電源ボックス２に電流を供給するための電源用の端子部１４ｂ，１４ｃでは、この各端子部１４ｂ，１４ｃに対応して「入力」という名称が、入力用の端子部１４ｂ，１４ｃに対応してケーシング表面２６に表示されている。
本実施例の電源ボックス２はＡＣ１００Ｖ／２００Ｖ共用なので、電源ボックス２に１００Ｖの電流を供給するための配線１２ａが、１００Ｖ電源用の端子部１４ｂに接続され、電源ボックス２に２００Ｖの電流を供給するための配線１２ｂが、２００Ｖ電源用の端子部１４ｃに接続されている。
電源ボックス２には、電流供給用の配線１２ａ，１２ｂを介して供給された１００Ｖと２００Ｖの各電流を各電気機器に供給するための配線回路が組み込まれている。なお、電源ボックス２は、アース用端子１９とこれに接続されるアース用の配線１２，１２ａ，１２ｂとを介してアース接続されている。
【００１５】
各電気機器用の端子部１４，１４ａと電流供給用の端子部１４ｂ，１４ｃの接続電圧１６が、各端子部１４，１４ａ〜１４ｃに対応して「１００Ｖ」，「２００Ｖ」と、各名称１５と並んでケーシング表面２６に表示されている。
なお、電源ボックス２はＡＣ１００Ｖ／２００Ｖ共用なので、電圧を区別するために接続電圧１６の表示が有効であるが、ＡＣ１００Ｖ専用の電源ボックスの場合には、接続電圧１６の表示がない場合であってもよい。
【００１６】
このようにして、端子台２２に、各端子部１４，１４ａ〜１４ｃに対応して各電気機器の名称１５と、電流供給用の配線１２ａ，１２ｂを接続すべき端子部を示す文字と、各端子部１４，１４ａ〜１４ｃの接続電圧１６とを表示したので、どの端子部１４，１４ａ〜１４ｃにどの電気機器の配線１２，電流供給用の配線１２ａ，１２ｂを接続すべきかが一目で分かる。
したがって、複数の電気機器および電流供給用の各配線１２，１２ａ，１２ｂの種類や電圧を間違うことなく、所定の端子部１４，１４ａ〜１４ｃにそれぞれワンタッチで所定の配線１２，１２ａ，１２ｂを容易に接続することができる。また、電源ボックス２の結線状況が目視で簡単に確認できるので、メンテナンス作業が容易になる。
本実施例のように、各電気機器の名称（「換気扇」など）と、電流供給用の配線を接続すべき端子部を示す文字（「入力」など）と、各端子部の接続電圧（「１００Ｖ」など）とを、端子部１４，１４ａ〜１４ｃのすぐそば（本実施例では、直上）に配置すれば、一目見て、どの電気機器の配線および電源用配線をどの端子部に接続すべきかが直ちに判別できるので好ましい。
近年は、浴室ユニット１の高機能化に伴って浴室ユニット１に設置される電気機器が増えてきているが、本発明によれば、施工時の結線作業が簡略化され、安全性が確保され、メンテナンス作業も容易になる。
浴室ユニット１は湿気が多いので漏電対策が重要であるが、本発明では、電源ボックス２に漏電遮断器１７を設置したので、その住宅のブレーカーと浴室ユニット１専用の漏電遮断器１７との二重の漏電対策になり、安全性が向上する。また、浴室ユニット１の漏電対策を一つの電源ボックス２で集中して行うことができるので、管理が容易になる。
【００１７】
以上、本発明の一実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００１８】
本発明は、住宅に設置される浴室ユニットのほか、ユニット化されていない浴室にも適用可能である。
【図面の簡単な説明】
【００１９】
【図１】図１ないし図４は本発明の一実施例を示す図で、図１は電源ボックスを有する浴室ユニットの斜視図である。
【図２】電源ボックスの斜視図である。
【図３】電源ボックスの部分正面図である。
【図４】電源ボックスにおける配線の接続状態を示す部分断面図である。
【符号の説明】
【００２０】
１      浴室ユニット
２      電源ボックス
１１    点検口
１２，１２ａ，１２ｂ    配線
１３    リード線
１４，１４ａ〜１４ｃ    端子部
１５    電気機器の名称
１６    接続電圧
１７    漏電遮断器
【図１】
2005328627.tif 000003
【図２】
2005328627.tif 000004
【図３】
2005328627.tif 000005
【図４】
2005328627.tif 000006